(57)【要約】      （修正有）【課題】空気循環が、空気が浄化されないようなデットスペースを形成する部屋内の全ての場所まで達する空気清浄装置の提供。【解決手段】空気浄化装置１は、空気浄化装置１を通る空気流を発生するように設けられたファン４と、ファン４により発生された空気流を案内するためのファンダクト３０とを有する。ファンダクト３０は、空気浄化装置１で上方に延びている。空気浄化装置１は、更に、ファンダクト３０の下端の下に配設された空気取り入れ部２１と、空気浄化装置１が使用されている時に、空気浄化装置１から上方に浄化された空気を排出するように、ファンダクト３０上部に配設された空気排出部２２とを有する。ファンダクト３０は、空気浄化装置１の中間部から両端部に向かうのに従って外側に広がり、ファン４が、中間部中に少なくとも一部が配設されている。それらにより部屋２００と、部屋内に立設された空気浄化装置１とを通る空気の循環が促進される。【選択図】図５
2015150557.tif 000002
【特許請求の範囲】
【請求項１】
空気浄化装置を通る空気流を発生するように設けられたファン（４）と、
空気浄化装置で上方に延び、前記ファンにより発生された空気流を案内するためのファンダクト（３０）と、
前記ファンダクトの下端の下に配設された空気取り入れ部（２１）と、
空気浄化装置が使用されているときに、空気浄化装置から上方に浄化された空気を排出するように、ファンダクト上部に配設された空気排出部（２２）とを具備し、
前記ファンダクトは、空気浄化装置の中間部（３１）から両端部に向かうのに従って外側に広がっており、
前記ファンは、前記中間部中に少なくとも一部が配設されている、空気浄化装置（１）。
【請求項２】
前記ファンダクトの前記中間部（３１）と外側に広がった部分（３２，３３）との間の遷移部は、円滑である請求項１に記載の空気浄化装置。
【請求項３】
前記ファンは、前記ファンダクトの中間部の中心に配置されている請求項１または２に記載の空気浄化装置。
【請求項４】
前記中間部の長さは、前記ファンのブレード（３８）の高さに対応している請求項１ないし３のいずれか１に記載の空気浄化装置。
【請求項５】
前記ファンダクトの中間部は、円形の横断面を有し、前記ファンの両端部は、正方形の横断面を有している請求項１ないし４のいずれか１に記載の空気浄化装置。
【請求項６】
前記空気取り入れ部は、空気浄化装置の少なくとも１つの横方向の側面から空気を取り入れるように配設されている請求項１ないし５のいずれか１に記載の空気浄化装置。
【請求項７】
前記空気取り入れ部は、空気浄化装置の横方向の側面全体に渡って周方向から空気を取り入れるように配設されている請求項６に記載の空気浄化装置。
【請求項８】
前記ファンダクトの下端に配設された入口グリル（３６）と、
前記ファンダクトの上端に配設された排出グリルと、を更に具備し、
前記入口グリルの空気取り入れ面積は、前記排出グリルの空気排出面積よりも大きい、請求項１ないし７のいずれか１に記載の空気浄化装置。
【請求項９】
前記ファンにより発生された空気流をろ過するように配設されたフイルタ（９）を更に具備し、
前記フイルタは、前記ファンダクトの上流側に配設されている、請求項１ないし８のいずれか１に記載の空気浄化装置。
【請求項１０】
前空気流中の粒子をイオン化するように、前記ファンの下流側に配設されたイオン化装置（４０）を更に具備する請求項１ないし９のいずれか１に記載の空気浄化装置。
【発明の詳細な説明】
【技術分野】
【０００１】
この発明は、一般的に、空気清浄装置の分野に関する。特に、この発明は、ファンダクトを備えた空気清浄装置に関する。
【発明の背景】
【０００２】
空気清浄装置は、部屋内の空気を汚染物質からクリーニングするために使用されている。一般の空気清浄装置は、空気清浄装置を通る空気流を発生させるように配置されたファント、ファンにより発生された空気流をろ過するように配設されたフイルタとを有し、空気流中の空気により運ばれた粒子をフイルタに取着させ、浄化された空気を空気清浄装置から排出する。
【０００３】
このような空気清浄装置の浄化性能は、通常、クリーンエア供給率（CADR）で表示されている。このクリーンエア供給率は、実質的に全ての所定のサイズの粒子（全ての粒子の９５％ないし１００％）が除去された１分当たりの立方フイード（CFM）の空気を規定している。
【０００４】
既知の空気清浄装置の欠点は、空気清浄装置により発生される部屋内の空気の循環が良くないことにより、浄化性能が低いことである。例えば、空気の循環は、空気が浄化されないようなデットスペースを形成する部屋内の所まで、達することができなかった。
【発明の概要】
【０００５】
上記欠点を除去もしくは緩和する空気清浄装置を達成することが有効である。特に、高められた空気浄化性能を有する空気清浄装置を提供することが望まれている。
【０００６】
このような問題に対するより良いアプローチのためには、独立請求項に記載された特徴を有する空気清浄装置が提供される。好ましい実施の形態は、従属請求項に夫々記載されている。
【０００７】
かくして、本発明の一態様によれば、空気清浄装置が提供される。この空気清浄装置は、空気清浄装置を通る空気流を発生させるように配置されたファント、ファンにより発生された空気流を案内するためのファンダクトとを有している。このファンダクトは、空気清浄装置で、上方に延びている。この空気清浄装置は、更に、ファンダクトの下端の下方に
、配設された空気取り入れ部と、空気清浄装置が使用されているときに、空気清浄装置空から上方に浄化された空気を排出するように、ファンダクトの上端部に配設された空気流の排出部とを有している。前記ファンダクトは、ファンダクトの中間部から両端部に向かうのに従って径方向外側に広がっており、ファンは、少なくとも一部が前記中間部に配設されている。
【０００８】
この態様では、空気浄化装置の中への空気流は、ファンダクトの前記中間部へと収束され、そして上方へと発散して排出される。下方からの収束されるように入った空気流は、上方に発散されて排出とれる空気流と組み合わされて、部屋と、この部屋内に立設された空気浄化装置とを通る空気の循環を促進する。部屋の大部分からの空気は、空気清浄装置を通ることができるので、空気清浄装置の浄化性能は、高められる。
【０００９】
前記ファンダクトは、中にファンが配置される１つの導管（もしくはパイブ）により形成され得る。
【００１０】
実施の形態で、前記ファンは、ファンダクトを通る空気流を促進するために、空気清浄装置での前記上方に（即ち、ファンダクトの延出方向に沿って）軸方向に沿って（即ちほぼ平行に）配設され得る。
【００１１】
実施の形態によれば、ファンダクトの中間部と広がった部分との間の移行部は、円滑であり得る。この結果、ファンダクトの中間部と広がった部分との間の移行部は、どのような形状のコーナや角も形成されず、この結果、ファンダクト内の空気抵抗が減じられ、部屋内の空気の循環が促進され、空気清浄装置の空気浄化性能を高めている。
【００１２】
実施の形態によれば、前記ファンはファンダクトの前記中間部内の中心（長手方向で）に配置され得る。例えば、ファンは、ファンダクトの最も狭くなって箇所中に配置され得る。他の例によれば、前記中間部の長さは、ファンのブレードの高さに対応（実質的に同じのように）し得る。かくして、ファンのブレードは、広がった部分ではなく、前記中間部により囲まれている。本発明の各々で、多くの空気が、ファンのそばではなく、ファンを通るので、空気清浄装置を通る空気の循環が促進される。更に、前記中間部の長さが、ファンのブレードの高さに対応している場合には、ファンダクト（かくして空気清浄装置）は、中間部の長さがファンのブレードの中さよりも実質的に長い場合と比較して、コンパクトになる。
【００１３】
実施の形態によれば、ファンダクトの前記中間部は、円形の断面（水平面）を有し得る。更に、ファンダクトの両端部は、正方形の断面を有し得る。例えば、両端部は、丸められたコーナを有する正方形として成形され得る。この実施の形態では、ファンダクトは、促進された空気の循環を可能にしながら、空気清浄装置の実質的に箱型の外形に適用され得る。円形の中間部と正方形の端部との間の遷移部は、好ましくは、円滑であり得、即ち、いかなる形状のコーナ等が形成されていない。
【００１４】
実施の形態によれば、空気取り入れ部は、空気清浄装置の少なくとも１つの側方から空気を取り入れるように配設され得る。例えば、空気取り入れ部は、空気清浄装置の少なくとも１つの側壁（横方向の壁）に配設され得る。前記空気の取り入れ部ハ、ファンダクトの下端から下方に延出し得る。かくして、空気は、側方から取り入れられ、ファンダクト中に導かれ、上方に発散して排出される。この結果、部屋内の空気の循環は、さらに改善されて、空気清浄装置の浄化性能は高められる。
【００１５】
実施の形態によれば、空気の取り入れ部は、空気清浄装置の複数の横側の周りから空気を取り入れるように配設され得る。空気は、空気清浄装置の周りでほぼ３６０°に渡って、かくして、部屋の全周から取り入れられ得る。ファンダクトの前記広がった端部と組み合わされて前記周方向からの空気の取り入れ部は、部屋の全周から中心部への空気の循環を促進する。この結果、部屋内の空気の循環は、更に改善され、クリーンエア供給率は高められる。
【００１６】
実施の形態によれば、空気清浄装置は、更に、ファンダクトの下端に配設された入口グリルと、ファンダクトの上端に配設された出口グリルとを有し得る。前記入口グリルの空気取り入れ面積は、出口グリルの排出面積よりも大きくし得る。本発明者達は、本態様に係るファンとファンダクトとの配置で（即ち、ファンダクトが空気清浄装置での上方に延びている状態で）、入口グリルとファンとの間に負圧が生じるリスクがあることは、認識している。このような負圧の発生は、ファンに大きい負荷をかけ、ファンの消費電力とノイズレベルとを増す。入口グリルの取り入れ面積を出口グリルの排出面積よりも大きくすることにより、上記のようなリスクは、減じられる。更に、入口グリルと出口グリルとは、使用者がファンにアクセスするのを防止するように、配設される。
【００１７】
実施の形態によれば、空気清浄装置は、更に、ファンにより発生された空気流をろ過するように配設されたフイルタを有し得る。このフイルタは、ファンダクトの上流側（ファンダクトの下端の下）に配置され得る。かくして、空気の乱流が排出の所で減じられて、部屋内の空気の循環が改善される。空気清浄装置は、更に、空気清浄装置から排出される空気中の粒子をイオン化するように、ファンの下流側に配設されたイオン化装置を有し得る。かくして、イオン化装置、即ち、イオナイザーは、粒子をイオン化できる。そして、イオン化された粒子は、イオン化装置から部屋中に排出され、さらに、空気清浄装置の取り入れ部へと循環して戻りフイルタによりろ過される。このフイルタは、イオン化された粒子の吸引を促進する、ポリプロピレンのような材料により、好ましくは、構成され得る。
【００１８】
本願発明の実施の形態は、請求項に記載の特徴の全ての可能な組合せに関することは、判るであろう。
【図面の簡単な説明】
【００１９】
【図１】図１は、空気清浄装置を示す。
【図２】図２は、図１のＡ−Ａ線に沿った断面図である。
【図３】図３は、空気清浄装置のファンダクトとイオン化装置との斜視図である。
【図４】図４は、図３に示されたファンダクトとイオン化装置との上面図である。
【図５】図５は、部屋内で駆動されているときの空気浄化装置を概略的に示す。
【図６】図６は、空気浄化装置のフイルタユニットから分離されたファンユニットを有する図１の空気浄化装置と、空気清浄化装置のカップリング機構の拡大した係合部とを示す。
【図７】図７は、空気浄化装置のカップリング機構の拡大した断面図である。
【図８】図８は、使用者によりフイルタユニットから取り外されたファンユニットを示す。
【発明を実施するための形態】
【００２０】
全ての図は、概略的であり、必要なスケールではなく、実施の形態を説明するために必要な部分のみを、他の部分は省略して、一般的に示している。記載並びに図全体で同じ部材は、同じ参照符号を付している。
【００２１】
図１並びに２は、家屋の部屋のような屋内空間内や同様の内部環境内の空気を浄化するのに適し得る空気浄化装置の一例を示している。この空気浄化装置１は、空気浄化装置１を通る空気流を生じさせるためのファン４と、ファン４により生じた空気流をろ過するフイルタ９とを有し得る。この空気浄化装置１は、更に、ファン４により生じた空気流の空気から発生した粒子をイオン化するためのイオン化装置４０を有し得る。好ましくは、前記フイルタ９は、フイルタ９へのイオン化粒子の付着を促進するポリプロピレンのような誘電剤を含み得る。例えば、フイルタ９は、WO98/50162に記載されているようなフイルタで良い。
【００２２】
この空気浄化装置は、空気浄化装置１が、使用のために支持面２０上に位置されたときに、空気浄化装置１の上方に延びた長（垂直）軸１００を有している。この実施の形態で、空気浄化装置１は、オプションとして少なくとも１つの丸まったエッジを有する箱形状を有し得る。例えば、空気浄化装置１は、図１に示されているように、丸められたコーナを有する（水平面で）正方形の断面を有し得る。空気浄化装置１は、円筒形のような他の形状でも良い。側壁が、上壁２０と、この上壁に面し、好ましくは前記支持面２上に支持される底壁８との間で延出し得る。好ましくは、前記側壁の対向した外側は、互いにほぼ平行であり、底壁８を（垂直となるように）横切っている。
【００２３】
この実施の形態において、空気浄化装置１は、２つの部品、即ち、フイルタユニット３と、ファンユニット２とに構成的に分離され得る。フイルタユニット３には、前記フイルタ９が設けられ、ファンユニット２には、前記ファン４が設けられ得る。ファンユニット２は、フイルタユニット３上に配置され得る。例えば、これらファンユニット２とフイルタユニット３とは、共に箱型形状し、一緒になって箱型形状の空気浄化装置１を形成し得る。空気浄化装置１の側壁は、ファンユニット２の側壁５とフイルタユニット３の側壁６とにより形成され得る。前記フイルタ９は、フイルタユニット３の側壁６の全周に位置するように、空気浄化装置１の側壁に沿って配置され得る。フイルタ９は、フイルタユニット３内のフイルタ９を囲むように、フイルタ９の外側に配置されたグリッドにより保護され得る。オプション的に、このグリッドは、外面が布カバーで覆われ得る。
【００２４】
この実施の形態において、前記フイルタユニット３の側壁６の少なくとも一部は、空気浄化装置１の空気取り入れ部２１を形成し得る。好ましくは、この空気取り入れ部２１は、幾つかの横方向からの空気を取り入れることができるように、空気浄化装置１の周方向に、好ましくは、空気浄化装置１の周りで、３６０°に渡って広がり得る。例えば、空気取り入れ部２１は、フイルタユニット３の側壁６の４つの側面の全部に形成され得る。
【００２５】
この実施の形態において、空気浄化装置１は、空気を空気浄化装置１から上方に（即ち、長軸１００にほぼ沿って）排気するように配設された排気部２２を有し得る。例えば、この排気部２２は、図１並びに２に示されているように、排気グリルの形態で上壁７に形成され得る。この排気グリルは、前記ファン４に使用者の指が接触するのを防止するために、１２mm以上でない複数の開口、例えば、１１mm以上でない複数の開口により形成され得る。
【００２６】
この実施の形態において、空気浄化装置１は、前記ファン４が中に配置されたファンダクト３０を有し得る。例えば、このファンダクト３０は、ファンユニット２に配置され得る。ファンダクト３０は、空気浄化装置１の上方に、即ち、空気浄化装置１の長軸１００に沿って、排気部２２の方に延び得る。このファンダクト３０は、（図２に示されているように）空気浄化装置１内に配置された導管の一部分により形成され得る。
【００２７】
前記ファンダクト３０の例を、図３並びに４を参照して以下に詳細に説明する。図３は、明確にするために空気浄化装置１から分離されたファンダクト３０の斜視図であり、図４は、ファンダクト３０の上面図である。
【００２８】
前記ファンダクト３０は、中間部分３１と、外側に広がった上側部分３３と、外側に広がった下側部分３２とを有し得る。かくして、ファンダクト３０は、両端部で径方向外方に広がっており、中間部分３１は、ファンダクト３０の両端部よりも細い。好ましくは、ファンダクト３０の内面は、円滑であり、鋭いエッジや角などが形成されていない。特に、前記中間部分３１と広がった部分３１，３２との間の移行部は、円滑である。
【００２９】
前記ファン４は、少なくとも一部が前記中間部分３１内に配置され得る。この中間部分３１の直径は、ファン４の直径に（少し小さくなるように）適用し得る。好ましくは、ファン４のブレード３８の高さ（即ち、長軸１００に沿った方向での高さ）は、ファン４の複数のブレード３８間を外れて近くを通る空気の量を少なくするために、前記中間領域３１の高さ（即ち、長さ）と対応するか、少し短くされ得る。かくして、ファン４のブレード３８は、好ましくは、完全に中間部分３１内に収容され得る。例えば、ファン４は、前記中間部分内で中心（少なくとも長軸１００に沿う方向で）に位置され得る。前記ファンダクト３０は、ファンダクト３０内にファン４を支持するように配置された支持構造体３９を有し得る。
【００３０】
この実施の形態では、前記中間部分３１は、ファン４の円形の動作パターンに対応するように、（水平方向で）円形断面を有し得る。更に、ファンダクト３０は、図３並びに４に示されているように、好ましくは丸められたコーナ３５を有する正方形の端部を有し得る。好ましくは、中間部分３１の円形は、ファンダクト３０の両端部に向かう広がった部分に沿って正方形へと徐々に変形され得る。
【００３１】
この実施の形態において、（排気部２２）の所の排気グリルと同様の入口グリル３６（図２に示されている）が、前記ファンダクト３０の下端部に配置され得る。この入口グリルは、前記ファン４に使用者の指が接触するのを防止するために、１２mm以上でない複数の開口、例えば、１１mm以上でない複数の開口により形成され得る。更に、この入口グリル３６の空気取り入れ面積は、例えば、排気グリルよりも多く並びに／もしくは大きい開口により形成することにより、前記排気グリルの空気排気面積よりも大きくし得る。
【００３２】
この実施の形態において、空気浄化装置１は、この空気浄化装置１を通る空気流の空気により運ばれている粒子をイオン化するように配置されたイオン化装置４０を有し得る。このイオン化装置は、例えば、前記ファンダクト３０中に、好ましくは、ファン４の下流側に配置され得る。かくして、イオン化装置４０は、（空気流を参照して）排気部２２の直ぐ前に配置され得る。
【００３３】
代わって、空気浄化装置は、前記イオン化装置がフイルタ並びに／もしくはファンの上流側に配置され得る（図示されず）。
【００３４】
この実施の形態では、前記イオン化装置４０は、チャンバ（イオン化チャンバと称され得る）内に配設され、電圧源に接続可能な少なくとも１つのエミッタ電極４１と、地面もしくは実質上の地面もしくは電圧源に接続可能な少なくとも１つのコレクタプレート電極４２とを有し得る。前記エミッタ電極４１は、例えばカーボンで形成され得るブラシ電極並びに／もしくはピン電極として形成され得る。前記コレクタプレート電極４２は、例えば、側面４３に取着された金属のシート片により形成され得る。前記チャンバは、例えば、ファンダクト３０の上記上側部分３３により形成され得る。チャンバ（例えば、ファンダクト３０全体）は、（モールド成形された）プラスチックにより形成され得る。前記コレクタプレート電極４２は、チャンバの前記側面４３からチャンバの中へと（チャンバのほぼ中心へと）、好ましくは、空気流の主方向（空気浄化装置１の長軸１００にほぼ沿った方向）に沿って（ほぼ平行に）延出され得る。
【００３５】
この実施の形態において、前記イオン化装置４０は、３つのエミッタ電極４１と２つのコレクタプレート電極４２とを有し、空気流中の空気で搬送されている粒子をイオン化するための改良された電界を生じさせる。好ましくは、前記エミッタ電極４１のうちの第１の電極は、エミッタ電極４１のうちの第２の電極と対向するように、配置され得、また、２つのコレクタプレート電極４２のうちの第１の電極は、エミッタ電極４１のうちの第１の電極と、第３の電極との間に配置され得る。この実施の形態では、前記３つのエミッタ電極４１は、好ましくは、正方形のチャンバの４つの丸められたコーナ３５のうちの３つのコーナに配置され得（突出部を形成している）、また、各コレクタプレート電極４２は、２つのエミッタ電極４１間に、図３並びに４に示されているように、４つの側面のチャンバの側面の１つ上に配置され得る。かくして、前記エミッタ電極４１とコレクタプレート電極４２とは、チャンバ内で非対称に配置され、イオン化装置４０によりなされる改良されたイオン化率の優れた効果を奏する。好ましくは、前記エミッタ電極４１とファン４のモータ３７（図２に示さている）との間の距離は、エミッタ電極４１とコレクタプレート電極４２の１つとの間の距離よりも長く、これは、例えばこの例によれば、エミッタ電極４１とコレクタプレート電極４２との配置によりなされる。
【００３６】
電圧が、前記エミッタ電極４１に印加されると、電磁（ＥＭ）界が、エミッタ電極４１とコレクタプレート電極４２との間にほぼ形成される。分子並びに／もしくは空気により搬送されている粒子が、チャンバ内の前記ＥＭ界を通過するときに、これらは、イオン化され得る。この例に係るイオン化装置４０では、前記ＥＭ界の強度は、チャンバの中央よりも側面４３に向かう方が大きくなる。この結果、ＥＭ界は、空気がチャンバ内で多く通過する所に収束され、前記ＥＭ界によりファンのモータ３７に帯電されるリスクが軽減される。
【００３７】
好ましくは、空気浄化装置１は、前記エミッタ電極４１に一定の負の電位を印加するように構成されており、この結果、多くの負のイオン（アニオン）が形成される。好ましくは、約−７kVの電位が印加される。約−２０kVのような低い電位は、オゾンの出力を高くすることができる。しかし、代わって、空気浄化装置に設けられているエミッタ−コレクタ対に交流電圧を印加することは、危険である。
【００３８】
図５を参照して、空気浄化装置１の動作の例を説明する。図５は、部屋２００内の床２０の上に置かれた空気浄化装置１を示す。好ましくは、空気浄化装置１は、部屋２００の壁から離れて配置され得る。ファン２０が動作されているきに、空気は、空気浄化装置１の下部の周りから横方向に空気取り入れ部２１を介して取り入れら、空気が上方と横方向とに排気される排気部２２へとファンダクト３０により上方に導かれる。広がった端部を備えたファンダクト３０の形状により、空気が部屋の形状に良く従うように、図５に示されているように、部屋２００内の空気循環を促進している。空気は、排気部２２から上方と横方向とに向けられ、部屋２００の天井と壁と床２０とに沿って案内され、空気取り入れ部２１を介して下方と横方向とから取り入れられる。この結果、部屋内の循環空気の渦流が減じられ得る。このような改良された空気の循環は、部屋２００内の空気浄化を改良する。
【００３９】
空気は、排出部２２を出る前に、イオン化装置４０を通るので、空気流の空気により運ばれている粒子は、イオン化される。イオン化された粒子の一部は、コレクタプレート電極４２に付着され、また、一部は、空気流に従って空気浄化装置１を出、そして空気浄化装置１の空気取り入れ部２１へと戻り、フイルタに付着される。一部のイオン化された粒子は、互いに付着してクラスターを形成し、このクラスターは、空気流により空気浄化装置１に回収されることができる。前記ファンダクト３０によりなされる改良された空気循環によって、排気されたイオン化粒子とクラスター化した粒子の大部分は、これらが中性化される、部屋２００の天井、壁並びに／もしくは床に付着することがなく、空気浄化装置１に回収される。尚、上記のように壁に付着した粒子は、壁から離れて、再び空気を汚す。更に、イオン化装置４０が、ファン４の下流に配置されているので、ファン４は、イオン化粒子により少ししか（もしくは全く）帯電されない。
【００４０】
実施の形態において、空気浄化装置１は、ファンユニット２をフイルタユニット３の上部に装着させるためのカップリング機構１０を有し得る。このカップリング機構１０を、図６並びに７を参照して以下に詳述する。
【００４１】
カップリング機構１０は、ファンユニット２の側壁５の互いに対向した外面に設けられた２つの解除手段１１（即ち、解放アクチュエータ）を有し得る。これら解除手段１１は、図６並びに７に示されているように、例えば、解除ボタンにより形成されている。代わって、解除手段１１は、例えば、解除レバー等によっても形成され得る。各解除手段１１は、ファンユニット２に配設され、フイルタユニット３に設けられたフイルタ側係合部１３と係合するように構成されている。例えば、前記フイルタ側係合部１３は、凹所を有し得、また、ファン側係合部１２は、前記凹所と合うように形成されたフックのような形状を有し得る。この凹所とフックとは、上記とは逆に形成されていても良い。更に、前記ファン側係合部１２は、解除ボタン１１を押すような、解除手段１１の駆動により非係合位置に移動可能である。この非係合位置では、ファン側係合部１２は、フイルタ側係合部１３とは係合していない。この非係合な位置で、ファンユニット２は、フイルタユニット３から取り外されることができる。ばねのような弾性付勢手段１４が、ファン側係合部１２を、所定位置に付勢するように設けられている。この所定位置では、ファンユニット２がフイルタユニット３上に位置されたときに、ファン側係合部１２は、フイルタ側係合部１３と係合可能である。前記ファン側係合部１２は、プラスチックの同じ片でのモールドされるように、解除手段１１と同じ部材で一体化されることができる。
【００４２】
フイルタユニット３は、ファンユニット２の上部の右側の位置に合うのを確実にするために、ファンユニット２の対応した幾何学的形状部（図示されず）に合うように形成されたエッジ１５のような幾何学形状部を有し得る。
【００４３】
この実施の形態において、フイルタユニット３の全体は、破棄され得る。かくして、空気浄化装置１のフイルタ９の交換のために、フイルタユニット３全体は、新たなフイルタユニットと交換可能である。代わって、フイルタ９は、フイルタユニット３に取り外し可能に装着され得る。この結果、使用者は、フイルタ９をフイルタユニット３から取り外して、新たなフイルタに交換することができる。例えば、フイルタ９は、好ましくは、空気浄化装置１の長軸１００に沿った方向で上方から、フイルタユニット３の側壁６中に摺動可能に配置され得る。
【００４４】
さらに図８を参照して、フイルタ９を交換するための前記カップリング機構１０の操作を説明する。使用者１６は、ファンユニット２の両側を解除手段１１と同時に両手で押し（もしくは他の方法で駆動し）、ファンユニット２を摘まむ（もしくは）掴む。解除手段１１が駆動されると、ファン側係合部は、フイルタ側係合部１３との係合が解除され、使用者は、ファンユニット２をフイルタユニット３から持ち上げることができる。
【００４５】
そして、使用者は、ファンユニット２を新たなフイルタユニットの上部上に置くことができる（フイルタユニット３が使い捨てのフイルタユニット３の場合）。代わって、使用者は、フイルタ９をフイルタユニット３から取り外し、新たなフイルタを挿入することができる（単にフイルタが使い捨ての場合）。
【００４６】
かくして、ファンユニット２は、フイルタユニット３（もしくは新たなフイルタユニット）に再び装着することができる。ファンユニット２とフイルタユニット３とが箱型であり並びに／もしくはエッジ１５があることにより、ファンユニット２をフイルタユニット３上の正確な位置に来るように助けられる（案内される）。オプション的に、解除手段１１は、ファンユニット２がフイルタユニット３と適合し、ファンユニット２がフイルタユニット３上に位置されているときに、使用者により駆動される（例えば、押される）ことができる。代わって、前記ファン側係合部１２は、（図７に示されるように）スレートエッジ（slated edge）を有することができる。この結果、前記凹所１３を作動させたときに、ファン側係合部１２は、自動的に非係合の位置に押され得る。かくして、使用者は、ファンユニット２をフイルタユニット３の上に戻すときに、解除手段１１を駆動させる必要がなくなり得る。
【００４７】
この分野のものは、この発明が、上記実施の形態に限定されることを意味していないことは、理解できる。反対に、多くの変更並びに変形が、添付の特許請求の範囲内で可能である。
【００４８】
例えば、空気清浄装置は、異なった形態のエミッタ電極並びに／もしくはコレクタプレート電極を有するイオン化装置のような異なるイオン化装置（もしくはイオン化装置が無く無い）を有し得る。
【００４９】
更に、この空気清浄装置は、必ずしも２つの部分（ファンユニットとフイルタユニット）に構成上分ける必要がないか、または、ねじまたはボルトを使用した結合メカニズムのような異なる結合メカニズムか、他の既知の結合メカニズムを有し得る（結合メカニズムを有さなくても良い）。
【００５０】
代わって、上述した実施の形態に対する変形例は、図面、記載、並びに添付の特許請求の範囲を検討することにより、請求項に係る本願発明は、当業者により理解されると共に実施可能である。請求項において、「具備する（comprising）」という用語は、他の部材もしくは工程を除外するものではなく、また、「冠詞"a"もしくは"an"」は、複数を除外するものではない。所定の構成が互いに異なる従属請求項に記載されていても、これら構成の組合せが効果を得るために使用され得ないことを示すものでは無い。
【図１】
2015150557.tif 000003
【図２】
2015150557.tif 000004
【図３】
2015150557.tif 000005
【図４】
2015150557.tif 000006
【図５】
2015150557.tif 000007
【図６】
2015150557.tif 000008
【図７】
2015150557.tif 000009
【図８】
2015150557.tif 000010
【外国語明細書】
2015150557000001.pdf